(57)【要約】【課題】下記液晶層を用いて半透過反射型の表示を行う際に、透過領域及び反射領域にて所望の透過率を得る、液晶装置及び電子機器を提供する。【解決手段】電界の非印加時に光学的に等方性を示し且つ電界の印加時には電界強度の２乗に比例する光学異方性を示す液晶を有する液晶層と、液晶層を挟持する一対の基板とを備えた液晶装置１００である。反射表示を行う反射表示領域Ｒと透過表示を行う透過表示領域Ｔとが設けられたサブ画素領域９´と、サブ画素領域９´において、反射表示領域Ｒ及び透過表示領域Ｔの両領域に設けられた第１電極９及び第２電極１９を備え、第１電極９及び第２電極１９の間に生じる電界によって液晶層が駆動され、透過表示領域Ｔにおける第１電極９と第２電極１９との間隔が、反射表示領域Ｒにおける第１電極９と第２電極１９との間隔よりも小さい。【選択図】図２
2008112021.tif 000002
【特許請求の範囲】
【請求項１】
電界の非印加時に光学的に等方性を示し且つ電界の印加時には電界強度の２乗に比例する光学異方性を示す液晶を有する液晶層と、当該液晶層を挟持する一対の基板とを備えた液晶装置であって、
反射表示を行う反射表示領域と透過表示を行う透過表示領域とが設けられたサブ画素領域と、
前記サブ画素領域において、前記反射表示領域及び前記透過表示領域の両領域に設けられた第１電極及び第２電極を備え、
前記第１電極及び前記第２電極の間に生じる電界によって前記液晶層が駆動され、
前記透過表示領域における前記第１電極と前記第２電極との間隔が、前記反射表示領域における前記第１電極と前記第２電極との間隔よりも小さいことを特徴とする液晶装置。
【請求項２】
前記反射表示領域における前記第１電極と前記第２電極との間隔は、前記透過表示領域における前記第１電極と前記第２電極との間隔の略１．４倍に設定されることを特徴とする請求項１に記載の液晶装置。
【請求項３】
前記第１電極及び前記第２電極の少なくとも一方は、前記透過表示領域の電極幅が、前記反射表示領域における電極幅よりも小さいことを特徴とする請求項１又は２に記載の液晶装置。
【請求項４】
前記第１電極は、前記透過表示領域において複数の第１枝状電極を有し、
前記第２電極は、前記透過表示領域において複数の第２枝状電極を有することを特徴とする請求項１〜３のいずれか一項に記載の液晶装置。
【請求項５】
前記第１電極及び前記第２電極の少なくとも一方は、一端側が複数に分岐されており、該分岐した電極は前記透過表示領域に配置されることを特徴とする請求項１〜３のいずれか一項に記載の液晶装置。
【請求項６】
前記第１電極は、前記透過表示領域及び前記反射表示領域において複数の第１枝状電極を有し、
前記第２電極は、前記透過表示領域及び前記反射表示領域において複数の第２枝状電極を有することを特徴とする請求項１〜３のいずれか一項に記載の液晶装置。
【請求項７】
前記透過表示領域に設けられた前記第１枝状電極の電極幅は、前記反射表示領域に設けられた前記第１枝状電極の電極幅よりも小さいことを特徴とする請求項６に記載の液晶装置。
【請求項８】
前記第１基板及び前記第２基板における前記液晶層と反対側の面には、円偏光板がそれぞれ設けられることを特徴とする請求項１〜７のいずれか一項に記載の液晶装置。
【請求項９】
請求項１〜８のいずれか一項に記載の液晶装置を備えたことを特徴とする電子機器。
【発明の詳細な説明】
【技術分野】
【０００１】
本発明は、液晶装置及び電子機器に関するものである。
【背景技術】
【０００２】
近年、電気光学効果を利用した電子分極による表示方式が提案されている。電気光学効果とは、物質の屈折率が外部電界によって変化する現象である。電気光学効果としては、例えば、Ｋｅｒｒ効果が知られている。Ｋｅｒｒ効果とは、等方性の有極性物質に電場を印加したとき、電場の方向を光軸として電場強度の２乗に比例する複屈折性が励起される現象を指す。このようなＫｅｒｒ効果を発現する液晶材料として、ブルー相が知られている。ブルー相は、キラルネマチック相と等方相の間の特定の温度範囲に現れる光学的に等方性の液晶相で、目視で青く見えることが多かったことからその呼び名があり、応答速度が極めて速いことが知られている。ブルー相はその発現温度範囲が非常に狭いことから、内部に高分子材料を導入し、発現温度範囲の拡大が図られている（例えば、特許文献１参照）。
【０００３】
ところで近年では、携帯電話機や携帯情報端末等の携帯用電子機器の表示部として、液晶装置が多用されてきている。一般に、携帯用電子機器に用いられる液晶装置としては、反射表示及び透過表示をなす、半透過反射型のものが採用され、さらに横電界方式を採用することで視野角の向上が図られている。そこで、このような横電界方式の半透過反射型の液晶装置に上記ブルー相を用いることで、高速応答を図ることが考えられる。
【特許文献１】特開２００５−３３６４７７号公報
【発明の開示】
【発明が解決しようとする課題】
【０００４】
一般的に、半透過反射型の液晶装置では、反射表示と透過表示の双方で良好な表示を得るために、一般的にはドット領域内の反射表示領域と透過表示領域とでセル厚（液晶層厚）を異ならせる構造（いわゆるマルチギャップ構造）が採用されている。しかしながら、ブルー相は電界が生じている局所的な領域しか液晶の配向を変化させることができないため、セル厚がある一定以上を超えると、液晶分子全体に電界が届かなくなり、その領域は明るさに寄与しない。そのため、透過反射領域において、マルチギャップを形成する必要性はなくなる。しかし、反射領域で白表示（例えば、λ／４の位相差）をした場合、透過領域の位相差はλ／４になり、明るさが足りなくなる。したがって、透過表示領域と反射表示領域との間で屈折率位相差（リタデーション）が一致しなくなり、これによって表示のコントラストが低下してしまうといった問題があった。
【０００５】
本発明はこのような事情に鑑みてなされたものであって、上記液晶材料を用いて半透過反射型の表示を行う際に、透過領域及び反射領域にて所望の透過率を得る、液晶装置及び電子機器を提供することを目的としている。
【課題を解決するための手段】
【０００６】
本発明の液晶装置は、電界の非印加時に光学的に等方性を示し且つ電界の印加時には電界強度の２乗に比例する光学異方性を示す液晶を有する液晶層と、当該液晶層を挟持する一対の基板とを備えた液晶装置であって、反射表示を行う反射表示領域と透過表示を行う透過表示領域とが設けられたサブ画素領域と、前記サブ画素領域において、前記反射表示領域及び前記透過表示領域の両領域に設けられた第１電極及び第２電極を備え、前記第１電極及び前記第２電極の間に生じる電界によって前記液晶層が駆動され、前記透過表示領域における前記第１電極と前記第２電極との間隔が、前記反射表示領域における前記第１電極と前記第２電極との間隔よりも小さいことを特徴とする。
【０００７】
本発明の液晶装置によれば、透過表示領域は反射表示領域に比べ、第１電極及び第２電極の間隔が小さいので、電極間に発生する電界が強まり、反射表示領域に比べ透過表示領域に発生する電界を強めることができる。また、反射表示領域は光が液晶層中を２回透過するため、見掛け上の液晶厚が透過表示領域の２倍となるが、液晶層が電界強度の２乗に比例する光学異方性を示すことから、透過表示領域の光学異方性が高まる。よって、液晶の厚みと光学異方性との積で規定される各領域（透過表示領域及び反射表示領域）の屈折率位相差（リタデーション）を同等に調整することができる。したがって、各領域にて同等の透過率を得ることができ、サブ画素領域の全域に亘って高輝度、かつ高コントラストの表示を得ることができる。
【０００８】
また、上記液晶装置においては、前記反射表示領域における前記第１電極と前記第２電極との間隔は、前記透過表示領域における前記第１電極と前記第２電極との間隔の略１．４倍に設定されるのが好ましい。
前記枝状電極間に生じる電界Ｅは、電極間に印加する電圧Ｖ、及び電極間隔ｄから、Ｅ＝Ｖ／ｄによって規定される。そこで、本発明を採用すれば、透過表示領域における光学異方性が反射表示領域における光学異方性の略１．４（√２）倍の２乗、すなわち２倍とすることができ、マルチギャップ構造を採用することなく、透過表示領域と反射表示領域におけるリタデーションを略一致させることができる。
【０００９】
また、上記液晶装置においては、前記第１電極及び前記第２電極の少なくとも一方は、前記透過表示領域の電極幅が、前記反射表示領域における電極幅よりも小さいのが好ましい。
横電界方式では電極の直上に電界が生じないため、電極の直上は表示に寄与しない。そこで、この構成によれば、透過表示領域に配置された第１電極及び第２電極の電極幅を小さくすることで、透過表示領域における開口率の低下が抑えられる。
【００１０】
また、上記液晶装置においては、前記第１電極は、前記透過表示領域において複数の第１枝状電極を有し、前記第２電極は、前記透過表示領域において複数の第２枝状電極を有するのが好ましい。
この構成によれば、透過表示領域に第１枝状電極、及び第２枝状電極が形成されるので、第１電極及び第２電極間に生じる電界を反射表示領域に比べて強めることができる。
【００１１】
また、上記液晶装置においては、前記第１電極及び前記第２電極の少なくとも一方は、一端側が複数に分岐されており、該分岐した電極は前記透過表示領域に配置されるのが好ましい。
この構成によれば、透過表示領域内に配置される第１、第２電極の数が増えて各電極が配置される間隔が狭まり、結果的に各電極間に形成される電界が強まり、透過表示領域において高い光学異方性を得ることができる。
【００１２】
また、上記液晶装置においては、前記第１電極は、前記透過表示領域及び前記反射表示領域において複数の第１枝状電極を有し、前記第２電極は、前記透過表示領域及び前記反射表示領域において複数の第２枝状電極を有するのが好ましい。
この構成によれば、第１、第２枝状電極それぞれにおける電極幅、数を変更することにより透過表示領域で生じる電界を反射表示領域に比べて確実強めることができる。
【００１３】
また、上記液晶装置においては、前記透過表示領域に設けられた前記第１枝状電極の電極幅は、前記反射表示領域に設けられた前記第１枝状電極の電極幅よりも小さいのが好ましい。
横電界方式では電極の直上に電界が生じないため、電極の直上は表示に寄与しない。そこで、この構成によれば、透過表示領域に配置された第１電極及び第２電極の電極幅を小さくすることで、透過表示領域における開口率の低下が抑えられる。
【００１４】
また、上記液晶装置においては、前記第１基板及び前記第２基板における前記液晶層と反対側の面には、円偏光板がそれぞれ設けられるのが好ましい。
この構成によれば、液晶層に円偏光を入射させることができ、高輝度、かつ高コントラストの表示を得ることができる。
【００１５】
本発明の電子機器は、上記の液晶装置を備えたことを特徴とする。
【００１６】
本発明の電子機器によれば、透過表示領域及び反射表示領域にて同等の透過率が得られ、高輝度、かつ高コントラストの表示をなす液晶装置を備えているので、電子機器自体も表示品位が高く、信頼性の高いものとなる。
【発明を実施するための最良の形態】
【００１７】
以下、本発明について図面を参照して説明する。本実施形態の液晶装置は、液晶に対して基板面方向の電界（横電界）を作用させ、配向を制御することにより画像表示を行う横電界方式のうち、ＩＰＳ（In-Plane Switching）方式と呼ばれる方式を採用した、半透過反射型の液晶装置である。
なお、各実施形態で参照する図面においては、各層や各部材を図面上で認識可能な程度の大きさとするため、各層や各部材毎に縮尺を異ならせて表示している。
【００１８】
本実施形態の液晶装置は、基板上にカラーフィルタを具備したカラー液晶装置であり、Ｒ（赤）、Ｇ（緑）、Ｂ（青）の各色光を出力する３個のドットで１個の画素を構成するものとなっている。したがって表示を構成する最小単位となる表示領域を「サブ画素領域」と称する。また、一組（Ｒ，Ｇ，Ｂ）のドット（サブ画素）から構成される表示領域を「画素領域」と称する。
【００１９】
図１に示すように、液晶装置１００の画像表示領域を構成するマトリクス状に形成された複数のサブ画素領域には、それぞれ画素電極９と画素電極９をスイッチング制御するためのＴＦＴ３０とが形成されており、データ線駆動回路１０１から延びるデータ線６ａがＴＦＴ３０のソースに電気的に接続されている。データ線駆動回路１０１は、画像信号Ｓ１、Ｓ２、…、Ｓｎをデータ線６ａを介して各画素に供給する。前記画像信号Ｓ１〜Ｓｎはこの順に線順次に供給しても構わないし、相隣接する複数のデータ線６ａ同士に対して、グループ毎に供給するようにしてもよい。
【００２０】
また、ＴＦＴ３０のゲートには、走査線駆動回路１０２から延びる走査線３ａが電気的に接続されており、走査線駆動回路１０２から所定のタイミングで走査線３ａにパルス的に供給される走査信号Ｇ１、Ｇ２、…、Ｇｍが、この順に線順次でＴＦＴ３０のゲートに印加されるようになっている。画素電極９は、ＴＦＴ３０のドレインに電気的に接続されている。スイッチング素子であるＴＦＴ３０が走査信号Ｇ１、Ｇ２、…、Ｇｍの入力により一定期間だけオン状態とされることで、データ線６ａから供給される画像信号Ｓ１、Ｓ２、…、Ｓｎが所定のタイミングで画素電極９に書き込まれるようになっている。
【００２１】
画素電極９を介して液晶に書き込まれた所定レベルの画像信号Ｓ１、Ｓ２、…、Ｓｎは、画素電極９と液晶を介して対向する共通電極との間で一定期間保持される。ここで、保持された画像信号がリークするのを防ぐために、画素電極９と共通電極との間に形成される液晶容量と並列に蓄積容量７０が付与され、蓄積容量７０に接続する容量線３ｂを備えている。
【００２２】
次に、図２及び図３を参照して液晶装置１００の詳細な構成について説明する。
まず、液晶装置１００は、図３に示すようにＴＦＴアレイ基板（第１基板）１０と対向基板（第２基板）２０との間に液晶層５０を挟持した構成を備えており、液晶層５０は、ＴＦＴアレイ基板１０と対向基板２０とが対向する領域の縁端に沿って設けられた図示略のシール材によって基板１０，２０間に封止されている。また、対向基板２０の背面側（図示下面側）には、導光板と反射板とを具備した図示されないバックライトが設けられている。
【００２３】
なお、本実施形態に係る液晶装置１００は、詳細については後述するように前記ＴＦＴアレイ基板１０との前記液晶層５０側に画素電極９と共通電極１９とが設けられ、これら画素電極９及び共通電極１９の間に生じる電界によって前記液晶層５０が駆動されるとともに、１つのサブ画素領域９´内に反射表示を行う反射表示領域Ｒと透過表示を行う透過表示領域Ｔとを備えた半透過反射型の液晶装置である（図３参照）。
【００２４】
本実施形態に係る液晶装置１００は、前記液晶層５０として、ブルー相の液晶が採用されている。ブルー相は、キラルネマチック相と等方相の間の狭い温度範囲に現れる、光学的に等方性の液晶相である。また、ブルー相は、その温度範囲の狭さ（１Ｋ程度）から、長い間あまり着目されることはなかった。これに対して、近年ブルー相中に少量の高分子を導入することにより、ブルー相が劇的に安定化することが見出された。なお高分子による「安定化」とは、元来ある液晶の活発な分子運動性を損なうことなく、ブルー相の発現温度範囲を拡大（１００Ｋ程度）することである。
【００２５】
ブルー相の形成は、一般的なネマチック液晶に、ねじれを励起させるキラルドーパントを適当量添加する。さらに、この低分子液晶材料に、モノマー（例えば2-ethylhexyl acrylate；ＥＨＡ）および光重合開始剤（例えば2,2-dimethoxy-2-phenyl acetophenone；ＤＭＰＡＰ）を添加する。そして、慎重に温度制御しブルー相を保持しながら光重合を行う。これにより、ブルー相の発現温度範囲が１００Ｋ以上に広がり、高分子安定化ブルー相が形成される。
【００２６】
このブルー相は、Ｋｅｒｒ（カー）効果を発現することが確認されている。Ｋｅｒｒ効果とは、等方性の有極性物質に電場を印加したとき、電場の方向を光軸として電場強度の２乗に比例する複屈折性（光学異方性）が励起される現象を指す。すなわち、ブルー相に電場を印加すると、格子構造の変化をほとんど伴わず、電場強度に応じて分子が再配向し、電場強度の２乗に比例する複屈折性（光学異方性）が励起される。
【００２７】
すなわち、ブルー相は、次式１に示されるように、複屈折（Δｎ）が電界の２乗に比例する。なお、式１中、Ｋはカー係数、λは光の波長、Ｅは電極間に生じる電界を示している。
【００２８】
Δｎ＝ＫλＥ２              （式１）
【００２９】
なお高分子安定化ブルー相のＫｅｒｒ係数は３．７×１０−１０ｍＶ−２で、ニトロベンゼンの約１７０倍の大きさになることが報告されている。
【００３０】
また、高分子安定化ブルー相のＫｅｒｒ効果の立ち上りおよび立ち下りの応答時間は、いずれも１０〜１００μｓ程度であることが確認されている。一般的なネマチック液晶の応答時間が１０ｍｓ程度であることを考えると、高分子安定化ブルー相の応答は極めて速いことがわかる。ブルー相は、電圧の非印加時に光学的に等方性を示し、後述するように配向膜が不要となる。また、ブルー相は、可視光以上の波長領域の光を実質的に散乱することがない。
【００３１】
図２に示すように、液晶装置１００のサブ画素領域９´には、Ｙ軸方向に延びるデータ線６ａと、Ｘ軸方向に延びる走査線３ａとが平面視略格子状に配線されており、これらデータ線６ａ、及び走査線３ａに囲まれる平面視略矩形状の領域に、平面視略櫛歯状を成してＹ軸方向に延びる画素電極（第１電極）９と、この画素電極９と噛み合う平面視略櫛歯状を成し、Ｙ軸方向に延びる共通電極（第２電極）１９とが形成されている。サブ画素領域の図示左上の角部には、ＴＦＴアレイ基板１０と対向基板２０とを所定間隔で離間させて液晶層厚（セルギャップ）を一定に保持するための柱状スペーサ４０が立設されている。なお、以下の説明で、Ｘ軸方向とは走査線３ａの延在方向を意味し、Ｙ軸方向とはデータ線６ａの延在方向を意味するものとする。
【００３２】
サブ画素領域９´には、このサブ画素領域とほぼ同一の平面形状を有するカラーフィルタが設けられている。また、サブ画素領域には、画素電極９及び共通電極１９の延在領域のうち、共通電極１９側の平面領域（Ｙ軸方向に二分した領域のうち図示下側の領域）を占める反射層２９が設けられている。反射層２９は、アルミニウムや銀などの光反射性の金属膜をパターン形成したものである。サブ画素領域９´のうち、反射層２９に対応する平面領域が反射表示領域Ｒであり、残る領域が透過表示領域Ｔである。反射層２９としては、その表面に凹凸を形成して光散乱性を付与したものを用いることが好ましく、かかる構成とすることで反射表示における視認性を向上させることができる。なお、サブ画素領域において、画素電極９及び共通電極１９の延在領域のうち、画素電極９側の平面領域を反射表示領域としても良い。
【００３３】
図２に示すように、画素電極９は走査線３ａに沿って延びる基端部９ａと、該基端部９ａに接続し、データ線６ａ方向に延びる複数（本実施形態では５本）の帯状電極（第１枝状電極）９ｃと、前記基端部９ａから＋Ｙ側に延出されたコンタクト部９ｂとを備えて構成されている。画素電極９は、ＩＴＯ（インジウム錫酸化物）等の透明導電材料をパターン形成してなる電極部材である。
【００３４】
また、上記帯状電極９ｃは２種類の長さを有しており、一方の長さを有した帯状電極９ｃは一定の電極幅を有し、透過表示領域Ｔにのみ配置され、他方の長さを有した帯状電極９ｃは透過表示領域Ｔから反射表示領域Ｒ内まで延びるように形成されている。また、他方の長さを有した帯状電極９ｃは、反射表示領域Ｒ及び透過表示領域Ｔの境界近傍にて電極幅が漸次変化し、反射表示領域Ｒにおける電極幅が透過表示領域Ｔに比べて大きくなっている。なお、横電界（ＩＰＳ）方式では電極の直上に電界が生じないため、電極の直上に配置された液晶層は複屈折を呈さず、表示に寄与しない。そこで、上記構成により、透過表示領域Ｔに配置された帯状電極９ｃの電極幅を小さくすることで、特に透過表示領域Ｔにおける開口率の低下を抑えている。ここで、帯状電極９ｃの電極幅が大きくなり始める部分は、反射表示領域Ｒ又は透過表示領域Ｔのいずれの領域内であっても良い。つまり、透過表示領域Ｔ内で変化し始めても良いし、反射表示領域Ｒ内で変化し始めても良い。また、帯状電極９ｃの電極幅が、反射表示領域Ｒと透過表示領域Ｔとの境界を境に変化する構成としてもよい。
【００３５】
また、共通電極１９は、走査線３ａに沿う共通電極線７に一体形成されており、共通電極線７からＹ軸方向に延在する基端部１９ｂと、該基端部１９ｂに接続し、Ｘ軸方向に延在する本線部１９ａと、該本線部１９ａから＋Ｙ側に延出する複数の帯状電極１９ｃとを備えて構成されている。なお、共通電極１９についてもＩＴＯ等の透明導電材料を用いて形成されているが、画素電極９及び共通電極１９は、上記透明導電材料のほか、クロム等の金属材料を用いて形成することもできる。
【００３６】
帯状電極１９ｃは、反射表示領域Ｒから透過表示領域Ｔ側へと延在しており、反射表示領域Ｒ及び透過表示領域Ｔの境界近傍にて複数（本実施形態では２つ）に分岐される。２つに分岐された帯状電極１９ｃは、透過表示領域Ｔにて、それぞれ同じ電極幅に形成される。２つに分岐された帯状電極１９ｃの間には、画素電極９を構成する上記一方の長さ（短い側）の帯状電極９ｃが櫛歯状に噛み合うよう配置されている。帯状電極１９ｃは、このような分岐構造を備えることで、反射表示領域Ｒにおける電極幅が透過表示領域Ｔにおける電極幅よりも大きくなっている。これにより、上記帯状電極９ｃと同様に、透過表示領域Ｔに配置された帯状電極９ｃの電極幅を小さくすることで、透過表示領域Ｔにおける開口率の低下を抑えている。
【００３７】
ＴＦＴ３０は、Ｘ軸方向に延びるデータ線６ａと、Ｙ軸方向に延びる走査線３ａとの交差部近傍に設けられており、走査線３ａの平面領域内に部分的に形成された島状のアモルファスシリコン膜からなる半導体層３５と、半導体層３５と一部平面的に重なって形成されたソース電極６ｂ、及びドレイン電極３２とを備えている。走査線３ａは半導体層３５と平面的に重なる位置でＴＦＴ３０のゲート電極として機能する。ソース電極６ｂは、データ線６ａから分岐されて半導体層３５に延びる平面視略逆Ｌ形の配線である。また、ドレイン電極３２には、画素電極９のコンタクト部９ｂが平面的に重なって配置され、同位置に設けられた画素コンタクトホール４５を介してドレイン電極３２と画素電極９とが電気的に接続されている。
【００３８】
本実施形態の液晶装置のサブ画素領域９´では、図３に示すように、反射表示領域Ｒに配された帯状電極９ｃ、１９ｃ間のＸ軸方向における間隔ｄｒが、透過表示領域Ｔに配された帯状電極９ｄ、１９ｄ間のＸ軸方向における間隔ｄｔよりも大きくなっており、具体的には、上記間隔ｄｒが間隔ｄｔの約１．４倍に設定されている。
【００３９】
そして、液晶装置の動作時には、画素電極９の帯状電極９ｃと、共通電極１９の帯状電極１９ｃとの間に電圧を印加し、当該サブ画素領域の液晶層５０にＸＹ面方向（基板平面方向）の電界（横電界）を作用させ、液晶層５０を複屈折させるようになっている。
【００４０】
従来の半透過反射型の液晶装置では、反射表示領域における液晶層厚と透過表示領域における液晶層厚とを異ならせ、液晶層５０を透過する光に付与される位相差（リタデーション）を反射表示領域Ｒと透過表示領域Ｔの各々で最適化するマルチギャップ構造が採用されていた。具体的には、反射表示領域における位相差がλ／４、透過表示領域における位相差がλ／２となるように前記各領域の液晶層厚を調整し、反射表示領域における液晶層厚を透過表示領域Ｔにおける液晶層厚の略１／２にしていた。
【００４１】
また、従来の液晶装置に用いられていたネマチック液晶では、電界によりバルクの液晶分子が弾性的に配向するが、ブルー相では電界が生じている局所的な領域の配向しか変化させることができない。
【００４２】
そのため、ブルー相を用いた横電界（ＩＰＳ）方式の液晶装置に上記マルチギャップ構造を採用すると、液晶厚が大きい（反射表示領域の２倍）透過表示領域にて、対向基板側の液晶分子に横電界の影響が及ばなくなり、対向基板側の液晶分子を十分に配向させることができず、透過率が低下してしまう。すなわち、ブルー相を用いる際には、マルチギャップ構造を採用することなく、透過表示領域Ｔにおける液晶層の位相差と反射表示領域Ｒにおける液晶層の位相差とを調整する必要がある。
【００４３】
本実施形態に係る液晶装置１００に用いられた液晶層５０は、印加電圧の２乗に比例する複屈折を呈するようになっている。ここで、液晶層５０に複屈折を生じさせる電界Ｅは、帯状電極９ｃ、１９ｃ間に印加される電圧をＶ、これら電極間の間隔をｄとしたとき、Ｅ＝Ｖ／ｄにて示される。
【００４４】
反射表示領域Ｒでは、後述するように入射光が反射層２９で反射されて外部に出射されることから、光が液晶層５０中を２回透過するようになっている。したがって、液晶厚が見掛け上、透過表示領域Ｔの２倍になる。また、各表示領域における複屈折位相差（リタデーション）は、液晶厚と液晶層５０（ブルー相）の複屈折との積により算出される。ここで、説明を簡単にするため、反射表示領域Ｒにおける液晶厚を２ｄとし、透過表示領域Ｔにおける液晶厚をｄとすると、透過表示領域Ｔ及び反射表示領域Ｒにおけるリタデーションを略同等に設定するために、透過表示領域Ｔにおける複屈折を反射表示領域Ｒの２倍に設定すればよい。
【００４５】
そこで、本実施形態に係る液晶装置１００は、透過表示領域Ｔにおける電極間隔ｄｔ（帯状電極９ｃと帯状電極１９ｃとの間隔）を、反射表示領域Ｒにおける電極間隔ｄｒの略１／√２倍に設定している。
【００４６】
ブルー相は電界の２乗に比例した複屈折（光学異方性）を示すことから、本実施形態に係る液晶装置１００は、透過表示領域Ｔにて反射表示領域の２倍（すなわち、√２の２乗倍）の複屈折を呈するようになる。
【００４７】
すなわち、本実施形態に係る液晶装置１００は、透過表示領域Ｔにおいて反射表示領域の２倍の複屈折を呈することで、透過表示領域Ｔ及び反射表示領域Ｒでのリタデーションを同等に調整することができ、透過表示領域Ｔ及び反射表示領域Ｒにおける透過率を等しくすることができる。
【００４８】
また、図３に示す断面構造をみると、ＴＦＴアレイ基板１０の外面側（液晶層５０と反対側）には、位相差板１６と偏光板１４とが順に積層されており、対向基板２０の外面側には、位相差板１７と偏光板２４とが順に積層配置されている。位相差板１６，１７は、透過光に対して略１／４波長の位相差を付与するλ／４位相差板である。
【００４９】
位相差板１６，１７の遅相軸は、偏光板１４，２４の偏光軸と、約４５°をなすように配置されている。この場合、偏光板１４，２４及び位相差板１６，１７により円偏光板１８，２５が構成される。偏光板１４，２４及び位相差板１６，１７を透過した光は円偏光に変換され、液晶層５０により複屈折される。なお、上記円偏光板１８，２５の構成としては、本実施形態のように偏光板１４，２４とλ／４位相差板１６，１７を組み合わせた構成の他に、偏光板とλ／２位相差板とλ／４位相差板とを組み合わせた広帯域円偏光板でもよい。
【００５０】
ＴＦＴアレイ基板１０は、ガラスや石英、プラスチック等の透光性の基板本体１０Ａを基体としてなり、基板本体１０Ａの内面側（液晶層５０側）には、走査線３ａが形成されており、走査線３ａを覆ってゲート絶縁膜１１が形成されている。ゲート絶縁膜１１上に、アモルファスシリコンの半導体層３５が形成されており、半導体層３５に一部乗り上げるようにしてソース電極６ｂと、ドレイン電極３２とが設けられている。
【００５１】
半導体層３５は、ゲート絶縁膜１１を介して走査線３ａに対向配置されており、当該対向領域において走査線３ａがＴＦＴ３０のゲート電極を構成するようになっている。
半導体層３５、ソース電極６ｂ、及びドレイン電極３２を覆って、第１層間絶縁膜１２が形成されており、第１層間絶縁膜１２上に、アルミニウムや銀等の光反射性の金属膜からなる反射層２９がサブ画素領域内で部分的に形成されている。反射層２９と第１層間絶縁膜１２とを覆って、酸化シリコン等からなる第２層間絶縁膜１３が形成されている。
【００５２】
第２層間絶縁膜１３上には、ＩＴＯ等の透明導電材料からなる画素電極９及び共通電極１９が形成されている。透過表示領域Ｔには、第２層間絶縁膜１３及び第１層間絶縁膜１２を貫通する画素コンタクトホール４５が形成されており、この画素コンタクトホール４５内に画素電極９のコンタクト部９ｂが一部埋設されることで、画素電極９とＴＦＴ３０のドレイン電極３２とが電気的に接続されている。
【００５３】
一方、対向基板２０の内面側（液晶層５０側）には、カラーフィルタ２２が設けられている。カラーフィルタ２２は、ドット領域内で色度の異なる２種類の領域に区画されている構成とすることが好ましい。具体例を挙げると、透過表示領域Ｔの平面領域に対応して第１の色材領域が設けられ、反射表示領域Ｒの平面領域に対応して第２の色材領域が設けられており、第１の色材領域の色度が、第２の色材領域の色度より大きいものとされている構成を採用できる。このような構成とすることで、カラーフィルタ２２を表示光が１回のみ透過する透過表示領域Ｔと、２回透過する反射表示領域Ｒとの間で表示光の色度が異なるのを防止でき、反射表示と透過表示の見映えを揃えて表示品質を向上させることができる。
【００５４】
また、カラーフィルタ２２上には、さらに透明樹脂材料等からなる平坦化膜を積層することが好ましい。これにより対向基板２０表面を平坦化して液晶層５０の厚さを均一化することができ、ドット領域内で駆動電圧が不均一になりコントラストが低下するのを防止することができる。
【００５５】
（表示動作）
次に本実施形態の液晶表示装置１００の表示動作について説明する。
まず、透過表示（透過モード）について説明する。透過モードにおいては、ＴＦＴアレイ基板の外側に設けられたバックライト（図示されない）から照射された光は、偏光板１４および位相差板１６を透過して円偏光に変換された状態で液晶層５０に入射する。
【００５６】
上述したようにブルー相は、電圧無印加時に光学的に等方性を示すことから、液晶層５０中に入射した光は、複屈折の影響を受けることなく円偏光を保持する。さらに、位相差板１７を透過した入射光は、偏光板２４の透過軸と直交する直線偏光に変換される。この直線偏光は偏光板２４を透過しないので、本実施形態の液晶装置１００では、電圧無印加時において黒表示が行われる（ノーマリーブラック表示）。
【００５７】
一方、電極９，１９間に電圧を印加すると、液晶層５０が複屈折を呈し、バックライトから液晶層５０に入射した円偏光は、液晶層５０を透過する過程で楕円偏光に変換される。この入射光が位相差板２４を透過しても、偏光板２４の透過軸と直交する直線偏光には変換されず、その全部または一部が偏光板２４を透過する。したがって、電圧印加時において白表示が行われる。
【００５８】
次に、反射表示（反射モード）について説明する。対向基板２０の外側から入射された外光は、偏光板２４および位相差板１７を透過することで円偏光に変換され、液晶層５０に入射する。ブルー相は電圧無印加時に光学的に等方性を示すことから、液晶層５０は複屈折を呈することがない。したがって、入射光は円偏光を保持したまま液晶層５０を進行して反射層２９に到達する。そして反射層２９により反射された円偏光は液晶層５０に戻り、再び位相差板１７に入射する。このとき、反射層２９によって反射された円偏光は、反射時に回転方向が反転しており、位相差板１７を透過する際に偏光板２４の透過軸と直交する直線偏光に変換される。この直線偏光は偏光板２４を透過できないので、液晶装置１００の反射モードにおいては、電圧無印加時に黒表示が行われる（ノーマリーブラック表示）。
【００５９】
一方、電極９，１９間に電圧を印加すると、液晶層５０が複屈折を呈し、入射光は液晶層５０を透過する際に所定の位相差（λ／４）が付与され、反射層２９に到達する。そして、反射層２９で反射された後、液晶層５０を透過する際に再度所定の位相差（λ／４）を付与されて、位相差板１７に入射する。このとき、反射光は、位相差板１７を透過することで、偏光板２４の透過軸と平行な直線偏光に変換される。よって、反射光は、偏光板２４を透過して視認され、サブ画素領域は明表示となる。
【００６０】
したがって、本実施形態に係る液晶装置１００は、電圧非印加時には反射表示領域Ｒ及び透過表示領域Ｔのいずれにおいても黒表示が行われ、電圧印加時には白表示が行われる。
【００６１】
本実施形態の液晶装置１００では、透過表示領域Ｔにおける帯状電極９ｃ，１９ｃ間の間隔ｄｔを反射表示領域Ｒにおける間隔ｄｒの１．４倍に設定することで、液晶層５０を２回透過した光を表示光に用いる反射表示と、液晶層５０を１回のみ透過した光を表示光に用いる透過表示とで、リタデーションを略同一なものとし、反射表示領域Ｒの電気光学特性と透過表示領域Ｔの電気光学特性とを揃え、反射表示と透過表示の双方で良好な表示を得ることができ、したがってサブ画素領域９´の全域に亘り、高輝度、かつ高コントラストの表示を得ることができる。
【００６２】
図４は、本発明者が行った測定結果を示しており、本実施形態に係る液晶装置１００における、反射表示領域Ｒ及び透過表示領域ＴにおけるＶ−Ｔ特性を示したものである。同図中、横軸は帯状電極９ｃ，１９ｃ間に印加する電圧（Ｖ）を示し、同図中、縦軸は反射表示領域Ｒ及び透過表示領域Ｔのそれぞれにおける透過率を示している。
【００６３】
本実施形態に係る液晶装置１００は、透過表示領域Ｔにおける帯状電極９ｃ，１９ｃの電極間隔ｄｔを反射表示領域Ｒにおける電極間隔ｄｒの１／√２倍に設定することで、透過表示領域Ｔが反射表示領域Ｒの２倍の電界強度が得られるようになっている。
図４に示すように、液晶装置１００はマルチギャップ構造を採用することなく、反射表示領域Ｒ及び透過表示領域Ｔにて略同等の透過率を得ることができる。したがって、サブ画素領域の全域に亘って、高輝度、かつ高コントラストの表示を得ることができる。
【００６４】
（第２実施形態）
図５、図６を参照して本発明の液晶装置に係る第２実施形態について説明する。
図５は、本実施形態の液晶装置２００の任意のサブ画素領域を示す平面構成図であり、図６は図５のＡ−Ａ´線、及びＢ−Ｂ’線に沿う部分断面構成図である。
【００６５】
なお、本実施形態の液晶装置２００の基本構成は先の第１実施形態と同様であり、上記第１実施形態との違いは、画素電極、及び共通電極の形状が異なる点である。図５はそれぞれ第１実施形態における図２に相当する図、図６はそれぞれ第１実施形態における図３に相当する図である。したがって本実施形態で参照する各図において、図１から図３に示した第１実施形態の液晶装置１００と共通の構成要素には同一の符号を付すこととし、以下ではそれら共通構成要素の説明は省略する。
【００６６】
本実施形態に係る液晶装置２００は、データ線６ａ、及び走査線３ａに囲まれる平面視略矩形状の領域に、平面視略櫛歯状をなしてＹ軸方向に延びる画素電極（第１電極）３９と、この画素電極３９と噛み合う平面視略櫛歯状を成してＹ軸方向に延びる共通電極（第２電極）４９とが形成されている。
【００６７】
画素電極３９は、データ線６ａに沿って延びる基端部３９ａと、該基端部３９ａに接続し、走査線３ａ方向に延びる複数の帯状電極（第１枝状電極）３９ｃと、前記基端部３９ａから延出する略Ｌ字形状のコンタクト部３９ｂとを備えて構成されている。また、画素電極３９は、ＩＴＯ（インジウム錫酸化物）等の透明導電材料をパターン形成してなる電極部材である。
【００６８】
共通電極４９は、画素電極同様に、データ線６ａに沿って延びる基端部４９ａと、該基端部４９ａに接続し、走査線３ａ方向に延びる複数の帯状電極（第２枝状電極）４９ｃとを備えて構成されている。なお、前記基端部４９ａは、走査線３ａに沿って形成される共通電極線７に一体形成されている。
【００６９】
図５に示すように、反射表示領域Ｒにおける帯状電極３９ｃ，４９ｃの電極幅は、透過表示領域Ｔにおける帯状電極３９ｃ，４９ｃの電極幅よりも大きく設定されている。一般に横電界方式では電界が生じない電極の直上は表示に寄与しないが、上記構成を採用することで、透過表示領域Ｔにおける開口率の低下を抑制することができる。
【００７０】
また、反射表示領域Ｒに配された帯状電極３９ｃ、４９ｃとのＹ軸方向における間隔ｄｒが、透過表示領域Ｔに配された帯状電極９ｄ、１９ｄとのＸ軸方向における間隔ｄｔより広くなっており、具体的には上記実施形態と同様に透過表示領域Ｔは反射表示領域Ｒの約１．４倍に設定した（図６参照）。
【００７１】
次に、図６に示す断面構造をみると、互いに対向して配置されたＴＦＴアレイ基板１０と対向基板２０との間にブルー相の液晶層５０が挟持され、ＴＦＴアレイ基板１０の外面側（液晶層５０と反対側）には、位相差板１６と偏光板１４とが順に積層されており、対向基板２０の外面側には、位相差板１７と偏光板２４とが順に積層配置されている。
【００７２】
本実施形態に係る液晶装置２００においても、液晶層５０を２回透過した光を表示光に用いる反射表示領域Ｒと、液晶層５０を１回のみ透過した光を表示光に用いる透過表示領域Ｔとで、リタデーションを略同一なものとしている。したがって、反射表示領域Ｒ及び透過表示領域Ｔにて略同等の透過率を得ることができ、サブ画素領域の全域に亘って、高輝度、かつ高コントラストの表示を得ることができる。
【００７３】
（電子機器）
図７は、本発明に係る液晶装置を表示部に備えた電子機器の一例である携帯電話の斜視構成図であり、この携帯電話１３００は、本発明の液晶装置を小サイズの表示部１３０１として備え、複数の操作ボタン１３０２、受話口１３０３、及び送話口１３０４を備えて構成されている。
上記実施の形態の液晶装置は、上記携帯電話に限らず、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても、高輝度、高コントラスト、広視野角の透過表示及び反射表示が可能となり、信頼性の高いものとすることができる。
【図面の簡単な説明】
【００７４】
【図１】液晶装置のサブ画素領域における等価回路図を示す図である。
【図２】サブ画素領域における平面構成図である。
【図３】図２のＡ−Ａ´線、Ｂ−Ｂ´線における液晶装置の断面図である。
【図４】反射表示領域と透過表示領域におけるＶ−Ｔ特性を示す図である。
【図５】第２実施形態に係るサブ画素領域の平面構成図である。
【図６】図５のＡ−Ａ´線における液晶装置の断面図である。
【図７】電子機器の一例を示す斜視構成図である。
【符号の説明】
【００７５】
Ｔ…透過表示領域、Ｒ…反射表示領域、９…画素電極（第１電極）、９´…サブ画素領域、９ｃ…帯状電極（第１枝状電極）、１０…ＴＦＴアレイ基板（第１基板）、１８…円偏光板、１９…対向電極（第２電極）、１９ｃ…帯状電極（第２枝状電極）、２０…対向基板（第２基板）、２５…円偏光板、５０…液晶層、１００，２００…液晶装置、１３００…携帯電話（電子機器）
【図１】
2008112021.tif 000003
【図２】
2008112021.tif 000004
【図３】
2008112021.tif 000005
【図４】
2008112021.tif 000006
【図５】
2008112021.tif 000007
【図６】
2008112021.tif 000008
【図７】
2008112021.tif 000009